(57)【要約】【課題】本発明は、ボール座が摩耗し難く、且つ良好なインキ吐出量が得られ、紙当たり現象が発生し難いボールペンチップを提供する。【解決手段】チップ本体に、ボール抱持室の底壁の中央に形成したインキ流通孔と、該インキ流通孔から放射状に延びるインキ流通溝とを有し、前記底壁に、ボールと略同形のボール座を形成するとともに、該ボール座に前記ボールを挿置し、チップ先端部を内側にかしめることにより、ボールの一部をチップ先端部より突出させて回転自在に抱持してなるボールペンチップであって、前記インキ流通孔を、前記ボール径の５％〜３０％とし、前記インキ流通溝の外径を前記ボール座の外径よりも大きく形成するとともに、前記インキ流通溝が、前記ボール座側の細形部と、ボール座の外側に位置する大形部とからなることを特徴とする。【選択図】      図１
2009006636.tif 000002
【特許請求の範囲】
【請求項１】
チップ本体に、ボール抱持室の底壁の中央に形成したインキ流通孔と、該インキ流通孔から放射状に延びるインキ流通溝とを有し、前記底壁に、ボールと略同形のボール座を形成するとともに、該ボール座に前記ボールを挿置し、チップ先端部を内側にかしめることにより、ボールの一部をチップ先端部より突出させて回転自在に抱持してなるボールペンチップであって、前記インキ流通孔を、前記ボール径の５％〜３０％とし、前記インキ流通溝の外径を前記ボール座の外径よりも大きく形成するとともに、前記インキ流通溝が、前記ボール座側の細形部と、ボール座の外側に位置する大形部とからなることを特徴とするボールペンチップ
【請求項２】
前記インキ流通孔の開口断面積及びインキ流通溝の総開口断面積の総和が、ボールの最大断面積の２０％〜５０％ことを特徴とする請求項１に記載のボールペンチップ
【請求項３】
前記インキ流通溝の細径部の最小溝幅が、ボール径の５％〜１０％であって、前記インキ流通溝の大形部の最大溝幅が、ボール径の２０％〜５０％、インキ流通溝の総開口断面積が、ボールの最大断面積の２０％〜３０％であることを特徴とする請求項１または２に記載のボールペンチップ
【請求項４】
前記ボール座の外径が、ボール径の５０％〜８０％であって、前記ボール突出量が、ボール径の２０％〜４０％であることを特徴とする請求項１ないし３の何れか１項に記載のボールペンチップ
【発明の詳細な説明】
【技術分野】
【０００１】
本発明は、底壁の中央にインキ流通孔、該インキ流通孔から放射状に延びるインキ流通溝を有するボール抱持室内の底壁にボールを挿置し、チップ先端部を内側にかしめることにより、ボールの一部をチップ先端部より突出させて回転自在に抱持するとともに、前記ボールの底壁に、ボールと略同形のボール座を形成してなるボールペンチップに関する。
【背景技術】
【０００２】
従来から、底壁の中央にインキ流通孔、該インキ流通孔から放射状に延びるインキ流通溝を有するボール抱持室内にボールを挿置し、チップ先端部を内側にかしめることにより、ボールの一部をチップ先端部より突出させて回転自在に抱持してなるボールペンチップについてよく知られている。
【０００３】
こうした従来のボールペンチップにおいて、実公平０６−３８７０９号「ボールペン」に開示されているように、ボール抱持室の底壁にボールと略同形のボール座を形成したボールペンチップもよく知られている。
【特許文献１】実公平０６−３８７０９号公報
【発明の開示】
【発明が解決しようとする課題】
【０００４】
前記した特許文献１は、ボール受座部の径をボール径８０〜９０％、インキ流通孔径をボール径の４５〜８０％、塑性変形部の軸方向の長さをボール径の１０〜２０％とすることで、書き味を良好としている。
【０００５】
ところで、ボール座の摩耗は、ボール座の面積と密接な関係があり、ボール座の面積が小さければボール座は摩耗し易く、ボール座の面積が大きければボール座の摩耗は少なくても済む。
【０００６】
一方、インキ流通孔径は、ボールへのインキ供給量に大きく影響している。そのため、インキ流通孔径をボール径の４５〜８０％とし、さらにインキ流通溝を形成することで、チップ後端部とボール抱持室を繋ぐ開口面積をボールの最大断面積の４０〜６０％としている。
【０００７】
ボール座の面積を大きくするには、ボール座の径をボール径に近くする等、ボール座径を大きくすることが考えられるが、チップ先端からのボール突出量が少なくなり、良好なインキ吐出量が確保できない。また、筆記時にペン先を傾斜させると、チップ先端部の角部で紙当たり現象が発生し易くなる等の問題が発生する。また、ボール座の面積を大きくするために、単にインキ流通孔を小さくするだけでは、チップ後端部とボール抱持室を繋ぐ開口面積が小さくなり、良好なインキ吐出が得られない問題があった。
【０００８】
本発明はこれらの従来技術に鑑みてなされたものであって、ボール座が摩耗し難く、且つ良好なインキ吐出量が得られ、紙当たり現象が発生し難いボールペンチップを提供することにある。
【課題を解決するための手段】
【０００９】
本発明は、前記問題を解決するために、チップ本体に、ボール抱持室の底壁の中央に形成したインキ流通孔と、該インキ流通孔から放射状に延びるインキ流通溝とを有し、前記底壁に、ボールと略同形のボール座を形成するとともに、該ボール座に前記ボールを挿置し、チップ先端部を内側にかしめることにより、ボールの一部をチップ先端部より突出させて回転自在に抱持してなるボールペンチップであって、前記インキ流通孔を、前記ボール径の５％〜３０％とし、前記インキ流通溝の外径を前記ボール座の外径よりも大きく形成するとともに、前記インキ流通溝が、前記ボール座側の細形部と、ボール座の外側に位置する大形部とからなることを特徴とする。
【００１０】
また、前記インキ流通孔の開口断面積及びインキ流通溝の総開口断面積の総和が、ボールの最大断面積の２０％〜５０％ことを特徴とする。
【００１１】
また、前記インキ流通溝の細径部の最小溝幅が、ボール径の５％〜１０％であって、前記インキ流通溝の大形部の最大溝幅が、ボール径の２０％〜５０％、インキ流通溝の総開口断面積が、ボールの最大断面積の２０％〜３０％であることを特徴とする。
【００１２】
更にまた、前記ボール座の外径が、ボール径の５０％〜８０％であって、前記ボール突出量が、ボール径の２０％〜４０％であることを特徴とする。
【発明の効果】
【００１３】
本発明は、ボール座が摩耗し難く、且つ良好なインキ吐出量が得られ、紙当たり現象が発生し難いボールペンチップを提供することができた。
【発明を実施するための最良の形態】
【００１４】
実施例１
図１、２に示す実施例１のボールペンチップ１は、チップ本体２のボール抱持室３の中央にインキ流通孔７と、このインキ流通孔７に連通する放射状に延び、チップ後部孔８に達しないインキ流通溝６を有した底壁４に、ボール９と略同形のボール座５を設け、φ１．０ｍｍのボール９をボール座５に載置し、チップ先端部２ａを内側にかしめことにより、ボール９の一部がチップ先端部２ａより突出するように回転自在に抱持する。
【００１５】
インキ流通孔７は、ボール径Ｎの２０％とし、インキ流通溝６の外接円Ｇ１をボール座５の外径Ｈ１よりも大きく形成してある。また、インキ流通溝６は、ボール座５側の細形部６ａと、ボール座５の外側に位置する略長方形の大形部６ｂとから形成してある。尚、インキ流通孔７の径は、ボール径Ｎの５％より小さいと、ボール座５を形成するハンマーリング加工の時に塑性変形によって閉鎖する恐れがあるとともに、ボールへ供給するインキ量が少なく筆跡のカスレが発生する恐れがあり、ボール径の３０％より大きいとボール座の面積が小さく、耐摩耗性の向上が小さくなるため、ボール径の５％〜３０％、好ましくは１０〜２０％とする。
【００１６】
また、インキ流通溝６の細径部６ａの最小溝幅Ｍは、ボール径Ｎの５％より小さいと、ボール座５を形成するハンマーリング加工の時に塑性変形によって閉鎖する恐れがあり、ボール径Ｎの１０％より大きいとボール座５の面積を多くすることが困難となるため、ボール径Ｎの５％〜１０％が好ましい。更にまた、インキ流通溝６の大形部６ｂの最大溝幅Ｌは、ボール径Ｎの２０％より小さいと、ボール９へ供給するインキ量が少なく筆跡のカスレが発生する恐れがあり、４０％を超えると、溝間の隙間が小さく、強度的に不安定になる恐れがあるため、２０％〜４０％が好ましい。
【００１７】
また、ボール座５の外径Ｈ１は、ボール径Ｎの５０％より小さいとボール座５の摩耗が抑制し難く、８０％を超えると、ボール９とボール座５の接触面積が多く書き味が低下するため、５０％〜８０％が好ましい。更にまた、ボール突出量Ｔがボール径Ｎの２０％より小さいと筆記時に紙当たり現象が発生し易く、４０％を超えると、泣き、ボテ現象が発生し易いため、２０％〜４０％が好ましい。
【００１８】
更にまた、使用するインキの粘度によっても異なるが、インキ流通孔７の開口断面積及びインキ流通溝６の総開口断面積の総和が、ボール９の最大断面積の２０％より小さいと、ボール９に供給されるインキ量が少なく、特に早書きによって、カスレが発生し易く、５０％を超えるとボールに供給されるインキ量が多く、泣き、ボテ現象が発生し易いため、２０％〜５０％とすることが好ましく、更に３０％〜５０％とすることが最も好ましい。
【００１９】
実施例２
図３、４に示す実施例２のボールペンチップ１１は、インキ流通溝１６が、チップ本体１２の底壁１４に形成したボール座１５側の細形部１６ａと、ボール座１５の外側に位置する略円形の大形部１６ｂとから形成し、チップ後部孔１８に達するインキ流通溝１６とした以外は、実施例１と同様にしてボールペンチップを得ている。
【００２０】
インキ流通孔１７は、ボール径Ｎの２０％とし、インキ流通溝１６の外接円Ｇ２をボール座１５の外径Ｈ２よりも大きく形成してある。
【００２１】
実施例３
図５、６に示す実施例３のボールペンチップ２１は、インキ流通溝２６が、チップ本体２２の底壁２４に形成したボール座２５側の細形部２６ａと、ボール座２５の外側に位置する略円形の大形部２６ｂとから形成した以外は、実施例２と同様にしてボールペンチップ２１を得ている。
【００２２】
インキ流通孔２７は、ボール径Ｎの２０％とし、インキ流通溝２６の外接円Ｇ３をボール座２５の外径Ｈ３よりも大きく形成してある。
【００２３】
尚、インキ流通溝の形状は特に限定されるものではないが、大形部を略円形とすることで、ドリルによる切削加工が可能となるので好ましい。
【産業上の利用可能性】
【００２４】
本発明のボールペンチップは、使用するインキに限定されることなく使用可能で、油性インキや水性インキ、剪断減粘性を付与したインキ、修正用インキ、化粧用インキなどインキの種類に関わらず使用することができるため、ボールを筆記媒体とするペン先部構造として広く利用可能である。
【図面の簡単な説明】
【００２５】
【図１】実施例１のボールペンチップの一部省略した要部拡大縦断面図である。
【図２】図１におけるＡ−Ａ断面矢視図である。
【図３】実施例２のボールペンチップの一部省略した要部拡大縦断面図である。
【図４】図３におけるＢ−Ｂ断面矢視図である。
【図５】実施例２のボールペンチップの一部省略した要部拡大縦断面図である。
【図６】図５におけるＣ−Ｃ断面矢視図である。
【符号の説明】
【００２６】
１、１１、２１  ボールペンチップ
２、１２、２２  チップ本体
２ａ  先端部
３、１３、２３  ボール抱持室
４、１４、２４  底壁
５、１５、２５  ボール座
６、１６、２６  インキ流通溝
６ａ、１６ａ、２６ａ  小形部
６ｂ、１６ｂ、２６ｂ  大形部
７、１７、２７  インキ流通孔
８、１８、２８  チップ後端部
９  ボール
Ｔ  ボール突出量
Ｇ１、Ｇ２  ボール座の外径
Ｈ１、Ｈ２  インキ流通溝の外接円
Ｍ  小形部の最小溝幅
Ｌ  大形部の最大溝幅
【図１】
2009006636.tif 000003
【図２】
2009006636.tif 000004
【図３】
2009006636.tif 000005
【図４】
2009006636.tif 000006
【図５】
2009006636.tif 000007
【図６】
2009006636.tif 000008